(57)【特許請求の範囲】
【請求項１】
面状に発光する出射面を備えた板状の主導光部と、当該主導光部の端縁に沿って設けられた棒状の副導光部とを有し、
前記副導光部の一端から入射した光が、当該副導光部の内部をその長手方向に沿って伝搬する過程において、当該副導光部の側面から出射して当該副導光部と対向する面から前記主導光部に入射し、
この入射光が更に当該主導光部の内部を伝搬していく過程において、前記出射面から出射するようにしてなる導光体であって、
前記副導光部が、前記一端とは逆側端に向かって傾いた指向性により前記主導光部に光を出射し、
前記主導光部の前記副導光部と対向する面に、前記一端側に向いて前記副導光部からの光を入射する一の斜面と、前記逆側端に向いて前記一の斜面から入射した光を反射して、前記傾いた指向性を補正する他の斜面とによる突起が、当該面の長手方向に繰り返し形成された
ことを特徴とする導光体。
【請求項２】
面状に発光する出射面を備えた板状の主導光部と、当該主導光部の端縁に沿って設けられた棒状の副導光部とを有し、前記副導光部の一端から入射した光が、当該副導光部の内部をその長手方向に沿って伝搬する過程において、前記一端とは逆側端に向かって傾いた指向性により当該副導光部の側面から出射して当該副導光部と対向する面から前記主導光部に入射し、この入射光が更に当該主導光部の内部を伝搬していく過程において、前記出射面から出射するようにしてなるとともに、前記主導光部の前記副導光部と対向する面には、前記一端側に向いて前記副導光部からの光を入射する一の斜面と、前記逆側端に向いて前記一の斜面から入射した光を反射して、前記傾いた指向性を補正する他の斜面とによる突起が、当該面の長手方向に繰り返し形成さている導光体と、
前記副導光部の一端に配された一次光源とを少なくとも有している
ことを特徴とするサイドライト型面光源装置。
【請求項３】
所定の一次光源から射出された照明光を板状部材の側面から入射し、前記照明光を屈曲して前記板状部材の出射面より出射するサイドライト型面光源装置において、
前記一次光源は、
前記側面に沿って延長する棒状部材を有し、
所定の光源から出射された照明光を、前記棒状部材の端面から入射し、前記端面とは逆側端に向かって傾いた指向性により前記板状部材の側面に沿った面より出射して前記板状部材の側面に供給し、
前記板状部材の前記側面には、前記端面側に向いて前記棒状部材からの光を入射する一の斜面と、前記逆側端に向いて前記一の斜面から入射した光を反射して、前記傾いた指向性を補正する他の斜面とによる突起が、前記側面の長手方向に繰り返し形成された
ことを特徴とするサイドライト型面光源装置。
【請求項４】
前記突起は、
前記端面側に向いて前記棒状部材からの光を入射する一の斜面と、前記逆側端に向いて前記一の斜面から入射した光を反射する他の斜面とを直接接続して断面三角形形状に形成された
ことを特徴とする請求項３に記載のサイドライト型面光源装置。
【請求項５】
前記光源は、
発光ダイオードでなる
ことを特徴とする請求項２、請求項３又は請求項４に記載のサイドライト型面光源装置。
【請求項６】
請求項２、請求項３、請求項４又は請求項５に記載のサイドライト型面光源装置により液晶表示パネルを照明する
ことを特徴とする液晶表示装置。
【発明の詳細な説明】
【０００１】
【発明の属する技術分野】
本発明は、導光体、サイドライト型面光源装置及び液晶表示装置に関し、棒状部材を用いて発光ダイオード等の照明光より線状の一次光源を形成し、この一次光源より射出された照明光を導光板でなる板状部材に入射して面光源装置を構成する場合に適用することができる。本発明は、板状部材の入射面に、１対の斜面による突起を入射面の長手方向に繰り返し形成することにより、出射光量を均一化する。
【０００２】
【従来の技術】
従来、例えば液晶表示装置においては、サイドライト型面光源装置により液晶表示パネルを照明し、これにより全体形状を薄型化するようになされている。
【０００３】
すなわちサイドライト型面光源装置は、蛍光ランプ等の棒状光源でなる一次光源を板状部材（すなわち導光板でなる）の側方に配置し、この一次光源より出射される照明光を導光板の端面より導光板に入射する。さらにサイドライト型面光源装置は、この照明光を屈曲して、導光板の平面より液晶表示パネルに向けて出射し、これにより全体形状を薄型化できるようになされている。
【０００４】
このようなサイドライト型面光源装置を用いた液晶表示装置においては、全体形状を小型化、軽量化することが求められる。
【０００５】
このためサイドライト型面光源装置においては、例えば特開平９−１２０００７号に開示されているように、蛍光ランプに代えて、ランプ等の点光源から出射される照明光を棒状部材に入射して一次光源を構成するようになされたものが提案されている。
【０００６】
図２４は、この点光源によるサイドライト型面光源装置を示す分解斜視図である。このサイドライト型面光源装置１は、一次光源２を導光板３の側方に配置し、この一次光源２より出射される照明光Ｌ１を導光板３の側面（以下入射面と呼ぶ）３Ａより導光板３に入射する。
【０００７】
一次光源２は、入射面３Ａに沿って延長する棒状部材４と、この棒状部材４の一端面に照明光Ｌを入射する点光源とにより構成される。棒状部材４は、例えば円柱形状の透明部材を切削、研磨加工することにより、円柱形状を平面により斜めに切り取った形状に形成され、この平面側に反射面４Ａが形成される。これにより棒状部材４は、端面でなる入射面より入射した照明光を他方の端面側に伝搬しながら、この照明光を導光板３の入射面３Ａに向けて出射する。
【０００８】
導光板３は、透明部材でなる例えばアクリル（ＰＭＭＡ樹脂）を射出成形して断面楔型形状に形成され、入射面３Ａより一次光源２の照明光Ｌ１を入射する。これにより導光板３は、入射面３Ａより入射した照明光Ｌ１を内部で伝搬しながら、臨界角以下の成分を出射面３Ｂより出射する。これによりサイドライト型面光源装置１は、この導光板３の出射面３Ｂに発光面を形成して、点光源より出射された照明光により面光源を形成するようになされている。
【０００９】
【発明が解決しようとする課題】
ところでこのようなサイドライト型面光源装置１においては、図２４において破線による等高線により出射光量の分布を示すように、出射光量が不均一になる問題がある。
【００１０】
すなわちこの種の棒状部材４においては、端面より入射した照明光を他端側に向かって伝搬しながら、臨界角以下の成分を導光板３の入射面３Ａに出射するものである。これにより棒状部材４より出射される照明光Ｌ１は、棒状部材４における伝搬方向に傾いた指向性により棒状部材４の出射面より出射され、導光板３の入射面３Ａに対しては傾いて入射することになる。
【００１１】
これにより導光板３に入射した照明光Ｌ１は、出射面３Ｂ側より見て、楔型先端側に向かって直進せず、矢印Ｘにより示すように、入射面に対して傾いて伝搬することになる。これによりこのような棒状部材４により一次光源を構成したサイドライト型面光源装置においては、導光板３の先端側であって棒状部材４の点光源側となる隅部において、出射光量が最も低下し、これとは逆側の隅部に向かって出射光量が徐々に増大する。
【００１２】
このように出射光量が不均一になると、その分このサイドライト型面光源装置１による液晶表示装置においては、表示画面に輝度ムラが発生し、表示画面の品位が著しく低下することになる。
【００１３】
本発明は以上の点を考慮してなされたもので、従来に比して出射光量を均一化することができる導光体と、この導光体を用いたサイドライト型面光源装置、液晶表示装置を提案しようとするものである。
【００１４】
【課題を解決するための手段】
かかる課題を解決するため請求項１の発明においては、導光体に適用して、面状に発光する出射面を備えた板状の主導光部と、当該主導光部の端縁に沿って設けられた棒状の副導光部とを有し、前記副導光部の一端から入射した光が、当該副導光部の内部をその長手方向に沿って伝搬する過程において、当該副導光部の側面から出射して当該副導光部と対向する面から前記主導光部に入射し、この入射光が更に当該主導光部の内部を伝搬していく過程において、前記出射面から出射するようにしてなる導光体であって、前記副導光部が、前記一端とは逆側端に向かって傾いた指向性により前記主導光部に光を出射し、前記主導光部の前記副導光部と対向する面に、前記一端側に向いて前記副導光部からの光を入射する一の斜面と、前記逆側端に向いて前記一の斜面から入射した光を反射して、前記傾いた指向性を補正する他の斜面とによる突起が、当該面の長手方向に繰り返し形成されてなるようにする。
【００１５】
また請求項２の発明においては、サイドライト型面光源装置に適用して、面状に発光する出射面を備えた板状の主導光部と、当該主導光部の端縁に沿って設けられた棒状の副導光部とを有し、前記副導光部の一端から入射した光が、当該副導光部の内部をその長手方向に沿って伝搬する過程において、前記一端とは逆側端に向かって傾いた指向性により当該副導光部の側面から出射して当該副導光部と対向する面から前記主導光部に入射し、この入射光が更に当該主導光部の内部を伝搬していく過程において、前記出射面から出射するようにしてなるとともに、前記主導光部の前記副導光部と対向する面には、前記一端側に向いて前記副導光部からの光を入射する一の斜面と、前記逆側端に向いて前記一の斜面から入射した光を反射して、前記傾いた指向性を補正する他の斜面とによる突起が、当該面の長手方向に繰り返し形成さている導光体と、前記副導光部の一端に配された一次光源とを少なくとも有しているようにする。
【００１６】
また請求項３の発明においては、所定の一次光源から射出された照明光を板状部材の側面から入射し、照明光を屈曲して板状部材の出射面より出射するサイドライト型面光源装置に適用して、先の側面に沿って延長する棒状部材を有し、所定の光源から出射された照明光を、この棒状部材の端面から入射し、前記端面とは逆側端に向かって傾いた指向性により板状部材の側面に沿った面より出射して板状部材の側面に供給するように、一次光源を構成する。このとき板状部材において、この側面に、前記端面側に向いて前記棒状部材からの光を入射する一の斜面と、前記逆側端に向いて前記一の斜面から入射した光を反射して、前記傾いた指向性を補正する他の斜面とによる突起を、側面の長手方向に繰り返し形成する。
【００１７】
また請求項４の発明においては、請求項２又は請求項３の構成において、突起を、前記端面側に向いて前記棒状部材からの光を入射する一の斜面と、前記逆側端に向いて前記一の斜面から入射した光を反射する他の斜面とを直接接続して断面三角形形状に形成する。また請求項５の発明においては、請求項２、請求項３又は請求項４の構成において、光源を、発光ダイオードにより構成する。また請求項６の発明においては、液晶表示装置に適用して、請求項２、請求項３、請求項４又は請求項５に記載のサイドライト型面光源装置により液晶表示パネルを照明する。
【００１８】
請求項１の構成によれば、導光体に適用して、面状に発光する出射面を備えた板状の主導光部と、当該主導光部の端縁に沿って設けられた棒状の副導光部とを有し、前記副導光部の一端から入射した光が、当該副導光部の内部をその長手方向に沿って伝搬する過程において、当該副導光部の側面から出射して当該副導光部と対向する面から前記主導光部に入射し、この入射光が更に当該主導光部の内部を伝搬していく過程において、前記出射面から出射するようにしてなる導光体であって、前記副導光部が、前記一端とは逆側端に向かって傾いた指向性により前記主導光部に光を出射し、前記主導光部の前記副導光部と対向する面に、前記一端側に向いて前記副導光部からの光を入射する一の斜面と、前記逆側端に向いて前記一の斜面から入射した光を反射して、前記傾いた指向性を補正する他の斜面とによる突起が、当該面の長手方向に繰り返し形成されてなることにより、点光源による照明光により副導光部で棒状の一次光源を形成することができる。このときこの棒状光源より出射される照明光は、この一次光源の光源側端面より逆側の端面に向かった指向性をもって出射され、主導光部の副導光部と対向する面を平坦な面により形成した場合には、この指向性をもった照明光がこの対向する面より入射し、この指向性が主導光部の屈折率により若干低減されるものの、この指向性により主導光部の内部を伝搬し、出射面より出射されることになり、これによりこの場合は、この指向性に対応して出射光量が不均一化する。これに対して主導光部において、主導光部の副導光部と対向する面に、１対の斜面による突起を、側面の長手方向に繰り返し形成すれば、点光源側を向く一方の斜面から照明光が主導光部に入射した後、他方の斜面で反射し、これによりほぼ出射面側より見て、ほぼ主導光部の先端側に照明光が直進するように、指向性を補正することができる。これにより傾いた指向性による出射光量の不均一化が回避され、出射光量分布が均一化される。
【００１９】
これにより請求項２の構成によれば、出射光量を均一化してなるサイドライト型面光源装置を提供することができる。
【００２０】
また請求項３の構成によれば、出射光量を均一化してなるサイドライト型面光源装置を提供することができる。
【００２１】
このときこの突起を、１対の斜面を直接接続して断面三角形形状に形成すれば、簡易な構成により出射光量を均一化することができる。
【００２２】
またこのとき、又はこれに代えて、光源を、発光ダイオードにより構成すれば、高い信頼性によりサイドライト型面光源装置を構成することができる。また全体形状を小型化し、また軽量化することができる。
【００２３】
さらに液晶表示装置において、これら何れかのサイドライト型面光源装置により液晶表示パネルを照明すれば、表示画面における輝度ムラを低減して高品位の表示画面を表示することができる。
【００２４】
【発明の実施の形態】
以下、適宜図面を参照しながら本発明の実施の形態を詳述する。
【００２５】
（１）第１の実施の形態
図１は、本発明の第１の実施の形態に係るサイドライト型面光源装置を示す分解斜視図である。この実施の形態においては、このサイドライト型面光源装置１０により液晶表示パネルを照明して液晶表示装置を構成する。
【００２６】
このサイドライト型面光源装置１０は、反射シート１５を折り曲げて図示しないフレームに配置した後、この反射シート１５の内側に、導光板１１、光拡散シート１３、光制御部材でなるプリズムシート１４を順次積層して配置すると共に、導光板１１の側方に一次光源１２を配置し、その後、反射シート１５の一次光源１２側を折り曲げて形成される。
【００２７】
一次光源１２は、導光板１１の入射面１１Ａに沿って延長する棒状部材１６と、この棒状部材１６の一端面１６Ａより照明光Ｌを入射する点光源１７とにより構成される。
【００２８】
棒状部材１６は、導光板１１の出射面１１Ｂと略平行な面により切り取って断面を見たとき、先端が切り取られた楔型形状により断面形状が形成されるように、例えばアクリルを射出成形して形成される。点光源１７は、発光ダイオードにより構成され、例えば透明接着剤により、棒状部材１６の端面１６Ａに出射面が接着されて棒状部材１６に保持される。
【００２９】
これにより一次光源１２は、図２に示すように、棒状部材１６の導光板１１側の面（以下出射面と呼ぶ）１６Ｂとこの出射面１６Ｂと対向する面（以下裏面と呼ぶ）１６Ｃとの間を繰り返し反射して、棒状部材１６の端面１６Ａより入射した照明光Ｌを伝搬し、この出射面１６Ｂ及び裏面１６Ｃにおける反射の際に、臨界角以下の成分をそれぞれ出射面１６Ｂ及び裏面１６Ｃより出射する。これにより一次光源１２は、棒状部材１６の出射面１６Ｂを発光させ、点光源１７より射出された照明光により棒状の光源を形成する。
【００３０】
このようにして点光源１７より出射される照明光Ｌは、出射面１６Ｂ及び裏面１６Ｃの間を繰り返し反射して棒状部材１６の内部を伝搬しながら、裏面１６Ｃで反射する毎に出射面１６Ｂに対する照明光Ｌの入射角が低減し、このうち臨界角以下の成分が出射面１６Ｂより出射されるものである。従って出射面１６Ｂより出射される照明光Ｌ１は、主たる出射方向が楔型形状の先端方向に傾いて形成される。
【００３１】
導光板１１は（図１）、透明部材でなる例えばアクリルを射出成形して、先端が切り取られた断面楔型形状に形成され、入射面１１Ａより一次光源１２の照明光Ｌ１を入射する。これにより導光板１１は、入射面１１Ａより入射した照明光Ｌ１を内部で伝搬しながら、臨界角以下の成分を出射面１１Ｂより出射する。これによりサイドライト型面光源装置１０は、この導光板１１の出射面１１Ｂに発光面を形成して、点光源１７より出射された照明光により面光源を形成するようになされている。
【００３２】
さらに導光板１１は、記号Ａにより入射面１１Ａを部分的に拡大して示すように、１対の斜面１８Ａ及び１８Ｂにより延長する突起が、入射面１１Ａの長手方向に繰り返し形成されるようになされている。ここでこの突起は、１対の斜面１８Ａ及び１８Ｂを直接接続して形成される。さらにこの突起は、図２に示すように、繰り返しピッチＷが好ましくは３０〔μｍ〕〜５〔ｍｍ〕の範囲で所定の値に、また頂角αが好ましくは３５〜８０度の範囲で所定の角度に設定される。また突起は、導光板１１の厚み方向に一定の断面形状により形成される。また斜面１８Ａ及び１８Ｂは、入射面１１Ａを巨視的に平面と見なした場合の、入射面１１Ａの法線に対して対称形状に形成される。なおこの図２においては、斜面１８Ａ及び１８Ｂを強調して示す。
【００３３】
これにより導光板１１は、これら１対の斜面１８Ａ及び１８Ｂのうちの、点光源１７側を向く一方の斜面１８Ａより照明光Ｌ１を入射した後、他方の斜面１８Ｂにより照明光Ｌ１を全反射し、出射面１１Ｂ側より見て、図２に示すように、照明光Ｌ１が楔型先端に向かって直進するように照明光Ｌ１の指向性を補正する。すなわち、入射面１１Ａを巨視的に平面と見なした場合に、入射面１１Ａに対して垂直な方向に照明光Ｌ１の指向性を補正する。なおこの図２においては、従来構成により入射面１１Ａを平坦な面Ｍ１で構成した場合における照明光の伝搬方向を符号ＬＸにより示す。
【００３４】
さらに図２をＢ−Ｂ線により切り取って図３に示すように、導光板１１は、出射面１１Ｂ及び出射面１１Ｂと対向する面（以下裏面と呼ぶ）１１Ｃとの間で反射を繰り返しながら、このようにして側面１１Ａより入射した照明光Ｌ１を伝搬し、この出射面１１Ｂ及び裏面１１Ｃにおける反射の際に、臨界角以下の成分を出射面１１Ｂ及び裏面１１Ｃより出射する。
【００３５】
さらにこの導光板１１は、裏面１１Ｃに光散乱面１１Ｄが形成される。ここでこの光散乱面１１Ｄは、入射面１１Ａ側より楔型先端に向かって光散乱の程度が順次増大するように、例えば炭酸マグネシウム、酸化チタン等を顔料にしてなる光散乱性のインクを選択的に付着して形成される。なお光散乱面１１Ｄは、光散乱性のインクに代えて裏面１１Ｃを部分的に梨地面（シボ面）に形成して作成される場合もある。この場合も同様に光散乱面１１Ｄは、一定のピッチで、あるいはランダムに、例えば矩形形状に梨地面の領域を形成し、入射面１１Ａ側より楔型先端に向かって各矩形形状領域の面積が増大するように形成される。これにより導光板１１は、楔型先端側で低減する出射光量を補正し、出射光量を均一化する。
【００３６】
このようにして照明光を散乱させるものの、導光板１１は、基本的には、出射面１１Ｂ及び裏面１１Ｃとの間を繰り返し反射して照明光を伝搬しながら、裏面１１Ｃで反射する毎に出射面１１Ｂに対する照明光の入射角を低減し、このうち臨界角以下の成分を出射面１１Ｂより出射するものである。従って出射面１１Ｂより出射される照明光は、主たる出射方向が楔型形状の先端方向に傾いて形成される。
【００３７】
光拡散シート１３は、出射面１１Ｂ側より裏面１１Ｃの光散乱面１１Ｄが認識されないように、さらには照明光により照らし出される導光板１１の各部の輝き、影等を目立たなくするように、導光板１１より出射される照明光を散乱して射出する。
【００３８】
プリズムシート１４は、導光板１１の指向性を補正するために配置される。すなわちプリズムシート１４は、ポリカーボネイト等の透光性のシート材で形成され、導光板１１と対向する側とは逆側の面にプリズム面が形成される。このプリズム面は、一方向にほぼ平行に延長する断面三角形形状の突起が繰り返されて形成され、この例の場合、この突起が入射面１１Ａとほぼ平行に延長するように配置される。これによりプリズムシート１４は、この三角形形状の突起の斜面で、出射光の主たる出射方向を出射面１１Ｂの正面方向に補正する。
【００３９】
反射シート１５は（図１）、白色ＰＥＴフィルム等でなるシート状の乱反射部材により形成され、導光板１１、一次光源１２等を囲むように配置される。これにより反射シート１５は、出射面１１Ｂ以外の各部より漏れ出す照明光を反射して導光板１１又は一次光源１２に戻し、照明光の利用効率を向上する。ここで反射シート１５は、図４に示すように、１枚のシート材を所定形状に切り取った後、例えば所定形状の金型を押し付けた加熱処理により、破線で示す箇所に折り曲げの癖が付けられる。さらに反射シート１５は、導光板１１、一次光源１２等の全体を囲むように、この折り曲げの癖に沿って折り曲げ加工してフレームに配置される。
【００４０】
すなわち反射シート１５は、導光板１１の裏面１１Ｃ側において、導光板１１及び一次光源１２を覆うように形成され、この一次光源１２側の側面が立ち上がって、棒状部材１６の裏面１６Ｃに密着するように、さらにこの立ち上がった先端が折り曲げられて一次光源の出射面１６Ｂ及び端面１６Ａを除く面を覆うように形成される。またこの一次光源１２と逆側においては、立ち上がって導光板１１の楔型先端側の側面に密着するように、またこの楔型先端側の側面に隣接する両側面側においては、同様に立ち上がって導光板１１の側面に密着するように形成される。さらにこれらの側面の点光源１７側においては、点光源１７より駆動用のリード線を引き出し得るように、切り欠きが形成される。
【００４１】
以上の構成において、発光ダイオードによる点光源１７から射出された照明光Ｌは（図１及び図２）、棒状部材１６の一端面１６Ａより入射し、出射面１６Ｂ及び裏面１６Ｃの間を繰り返し反射して棒状部材１６の内部を伝搬する。さらに裏面１６Ｃで反射する毎に出射面１６Ｂに対する照明光Ｌの入射角が低減し、このうち臨界角以下の成分が出射面１６Ｂより出射され、これにより主たる出射方向が楔型形状の先端方向に傾いて出射される。またこのとき同様にして内部を伝搬する照明光Ｌは、裏面１６Ｃから漏れ出し、この漏れ出した照明光は、反射シート１５により反射されて棒状部材１６に戻される。これによりサイドライト型面光源装置１０は、照明光の利用効率が向上される。
【００４２】
このようにして棒状部材１６の出射面１６Ｂより出射された照明光Ｌ１は（図２）、点光源１７側の端面１６Ａから他端の端面側に向かった指向性により導光板１１の入射面１１Ａに入射する。このときこの照明光Ｌ１は、入射面１１Ａに繰り返し形成された突起を構成する１対の斜面１８Ａ及び１８Ｂのうちの、棒状部材１６の端面１６Ａ側を向く斜面１８Ａより導光板１１に入射した後、他方の斜面１８Ｂで全反射される。これにより出射面１１Ｂより見て、照明光Ｌ１が楔型先端方向に直進するように指向性が補正され、指向性の傾きによる出射光量の不均一化が補正される。
【００４３】
かくしてこのように導光板１１に入射した照明光Ｌ１は（図３）、出射面１１Ｂ及び裏面１１Ｃの間で反射を繰り返して楔型先端方向に伝搬し、この反射の際に、出射面１１Ｂに対して臨界角以下の成分が出射面１１Ｂより出射される。また同様にして裏面１１Ｃより照明光が出射され、この裏面１１Ｃより出射された照明光は、裏面１１Ｃ側に配置した反射シート１５により反射されて導光板１１に戻され、これにより照明光の利用効率が増大される。
【００４４】
また出射面１１Ｂより出射された照明光は、導光板１１の裏面１１Ｃに形成された光散乱面１１Ｄが認識されないように、さらには照明光により照らし出される導光板１１の各部の輝き、影等を目立たなくなるように、光拡散シート１３により散乱された後、プリズムシート１４により指向性が補正される。さらにこの照明光により液晶表示パネルが照明されて、輝度ムラのない高品位の表示画面が形成される。
【００４５】
このようにして液晶表示パネルを照明するにつき、導光板１１の出射面以外の部分より漏れ出す照明光は、反射シート１５により反射されて再利用され、この反射シート１５が、１枚のシート材を所定形状に切り出された後、折り曲げ加工されて導光板１１の裏面１１Ｃ、側面等に配置され、これにより簡易な組み立て作業によりサイドライト型面光源装置１０が作成される。
【００４６】
以上の構成によれば、導光板１１の入射面１１Ａに、１対の斜面１８Ａ及び１８Ｂによる断面三角形形状の突起を入射面１１Ａの長手方向に繰り返し形成することにより、出射面１１Ｂより見て楔型先端方向に直進するように、入射面１１Ａより入射する照明光の指向性を補正することができ、これにより従来に比して出射光量を均一化することができる。
【００４７】
さらにこのとき１対の斜面１８Ａ及び１８Ｂを直接接続してこの突起を作成することにより、簡易にこれら突起を作成して、出射光量を均一化することができる。
【００４８】
（２）第２の実施の形態
図５は、第２の実施の形態に係るサイドライト型面光源装置に適用される一次光源を示す斜視図である。このサイドライト型面光源装置においては、図１について上述した一次光源１２に代えて、この一次光源２２が適用される。
【００４９】
すなわちこの一次光源２２において、棒状部材２３は、出射面が平面により作成される。さらに棒状部材２３は、点光源１７より遠ざかるに従って板厚の低減する割合が徐々に低下するように、裏面が曲面により作成される。
【００５０】
これにより一次光源２２は、点光源１７側より出射される照明光の光量を増大し、棒状部材２３の長手方向に沿った照明光Ｌ１の光量分布を調整するようになされている。
【００５１】
図５に示す構成によれば、裏面を曲面により作成した棒状部材２３により一次光源を構成しても、第１の実施の形態と同様の効果を得ることができる。
【００５２】
（３）第３の実施の形態
図６は、第３の実施の形態に係るサイドライト型面光源装置に適用される一次光源を示す斜視図である。このサイドライト型面光源装置においては、図１について上述した一次光源１２に代えて、この一次光源２４が適用される。
【００５３】
この一次光源２４において、棒状部材２５は、中心軸を通る平面により円錐形状を切り取った形状に作成される。すなわち棒状部材２５は、点光源１７より遠ざかるに従って出射面の幅が低減するように、導光板１１側より見て三角形形状に出射面が形成される。さらに棒状部材２５は、裏面が円弧形状により作成される。
【００５４】
図６に示す構成によれば、円錐形状を中心軸を通る平面により切り取った形状の棒状部材２５により一次光源を構成しても、第１の実施の形態と同様の効果を得ることができる。
【００５５】
（４）第４の実施の形態
図７は、第３の実施の形態に係るサイドライト型面光源装置に適用される一次光源を示す斜視図である。このサイドライト型面光源装置においては、図１について上述した一次光源１２に代えて、この一次光源が適用される。
【００５６】
ここでこの一次光源は、導光板１１の入射面に対して、第３の実施の形態にかかる棒状部材２５の出射面と裏面とを反転させて形成される。
【００５７】
図７に示すように、円錐形状を中心軸を通る平面により切り取った形状の棒状部材２５を用いて、この棒状部材２５の円弧形状の面を導光板側に向けて配置して一次光源を構成しても、第１の実施の形態と同様の効果を得ることができる。
【００５８】
（５）第５の実施の形態
図８は、第５の実施の形態に係るサイドライト型面光源装置に適用される一次光源を示す斜視図である。このサイドライト型面光源装置においては、図１について上述した一次光源１２に代えて、この一次光源２６が適用される。
【００５９】
この一次光源２６において、棒状部材２７は、三角錐形状に作成される。さらに一次光源２６は、この棒状部材２７の一の平坦な面が導光板１１の入射面１１Ａと対向するように、棒状部材２７が配置される。
【００６０】
この実施の形態によれば、三角錐形状の棒状部材２７により一次光源を構成しても、第１の実施の形態と同様の効果を得ることができる。
【００６１】
（６）第６の実施の形態
図９は、第６の実施の形態に係るサイドライト型面光源装置に適用される一次光源を示す斜視図である。このサイドライト型面光源装置においては、図１について上述した一次光源１２に代えて、この一次光源が適用される。
【００６２】
ここでこの一次光源は、導光板１１の入射面に対して、第５の実施の形態にかかる棒状部材２７の出射面と裏面とを反転させて形成される。
【００６３】
この実施の形態によれば、三角錐形状の棒状部材２７を用いて、この棒状部材２７の斜面側を導光板側に向けて配置して一次光源を構成しても、第１の実施の形態と同様の効果を得ることができる。
【００６４】
（７）第７の実施の形態
図１０は、第７の実施の形態に係るサイドライト型面光源装置に適用される一次光源を示す斜視図である。このサイドライト型面光源装置においては、図１について上述した一次光源１２に代えて、この一次光源２８が適用される。
【００６５】
この一次光源２８において、棒状部材２９は、四角柱形状に作成される。さらに棒状部材２９は、裏面に光散乱面が形成される。ここでこの光散乱面は、照明光を散乱するように、裏面を全体的に又は部分的に粗面にして、又は例えば白色等の光散乱性のインクを裏面の全面に又は部分的に付着して形成される。これにより一次光源２８は、点光源１７より入射した照明光を棒状部材２９の内部を伝搬させ、光散乱面の散乱により照明光を出射するようになされている。
【００６６】
このようにして照明光を出射するにつき、棒状部材においては、光散乱の程度が点光源１７より遠ざかるに従って変化するように、光散乱面が形成される。なお粗面により光散乱面を形成した場合、粗面の程度、又は単位面積当たりの粗面の面積を変化させることにより、光散乱の程度が点光源１７より遠ざかるに従って変化するように設定される。また光散乱性のインクの付着により光散乱面を形成した場合、インクの付着量（すなわち付着したインクの膜厚でなる）、又は単位面積当たりのインクの付着面積を変化させることにより、光散乱の程度が点光源１７より遠ざかるに従って変化するように設定される。これにより一次光源２８は、棒状部材２９の長手方向について、照明光の出射光量を均一化する。
【００６７】
図１０に示す構成によれば、四角柱形状の棒状部材２９により一次光源を形成するようにしても、第１の実施の形態と同様の効果を得ることができる。
【００６８】
（８）第８の実施の形態
図１１は、第８の実施の形態に係るサイドライト型面光源装置に適用される一次光源を示す斜視図である。このサイドライト型面光源装置においては、図１について上述した一次光源１２に代えて、この一次光源３０が適用される。
【００６９】
この一次光源３０において、棒状部材３１は、図５について説明した棒状部材２３を、その先端側で接続した形状により作成される。すなわち棒状部材３１は、その長手方向の両端面に点光源１７が配置される。これにより一次光源３０は、導光板１１に入射する照明光の光量を増大させる。
【００７０】
また棒状部材３１は、それぞれ点光源１７より遠ざかるに従って板厚の低減する割合が徐々に低下するように形成される。これにより一次光源３０は、光源１７側の光量を増大する。
【００７１】
図１１に示す構成によれば、長手方向の両端面に点光源１７を配置し、それぞれ点光源１７より遠ざかるに従って板厚の低減する割合が徐々に低下するように棒状部材を作成するようにしても、第１の実施の形態と同様の効果を得ることができる。
【００７２】
（９）第９の実施の形態
図１２は、第９の実施の形態に係るサイドライト型面光源装置に適用される一次光源を示す斜視図である。このサイドライト型面光源装置においては、図１について上述した一次光源１２に代えて、この一次光源３２が適用される。
【００７３】
ここで一次光源３２は、棒状部材３３の一端面に点光源１７を配置して形成される。棒状部材３３は、裏面及び又は出射面に所定形状の突起が繰り返し形成されている以外、第１の実施の形態に係る棒状部材１６と同一の構成により作成される。
【００７４】
ここで棒状部材３３は、符号Ｃにより部分的に拡大して示すように、裏面及び又は出射面に、断面三角形形状により棒状部材３３の長手方向に延長する突起が繰り返し形成される。これにより棒状部材３３は、この突起を形成する斜面の傾きに応じて、突起の繰り返し方向について、導光板１１に入射する照明光の入射角分布を補正する。
【００７５】
図１２に示す構成によれば、棒状部材３３の裏面に、断面三角形形状により長手方向に延長する突起を繰り返し形成して一次光源を構成するようにしても、第１の実施の形態と同様と同様の効果を得ることができる。
【００７６】
（１０）第１０の実施の形態
図１３は、第１０の実施の形態に係るサイドライト型面光源装置に適用される導光板の入射面側を拡大して示す斜視図である。このサイドライト型面光源装置においては、図１について上述した導光板１１に代えて、この導光板３５が適用される。
【００７７】
ここで導光板３５は、第１の実施の形態と同様に１対の斜面３５Ａ及び３５Ｂによる突起が導光板１１の入射面１１Ａの長手方向に繰り返し形成される。この実施の形態において、斜面３５Ａ及び３５Ｂは、入射面１１Ａを巨視的に平面と見なした場合の、入射面１１Ａの法線ＬＨに対する角度β１及びβ２が異なる角度により形成される。さらにこの角度β１及びβ２は、点光源１７側を向く斜面３５Ａの角度β１が小さな角度に設定されるのに対し、この斜面３５Ａと対を形成する斜面３５Ｂの角度β２が大きな角度に設定されるようになされている。
【００７８】
これにより導光板３５は、楔型先端側より入射面側を見たとき、点光源１７側を向く一方の斜面３５Ａに比して、他方の斜面３５Ｂの方が、大きな面積により観察されるようになされている。
【００７９】
すなわち図１４に示すように、照明光Ｌ１は、点光源１７側を向く一方の斜面３５Ａ（図中においてハッチングにより示す）より入射した後、他方の斜面３５Ｂで反射して導光板１１内を直進することにより、導光板１１の楔型先端側より入射面を見ると、他方の斜面３５Ｂは、照明光Ｌ１により明るく照らし出されて観察されるのに対し、点光源１７側を向く一方の斜面３５Ａは暗く観察される。
【００８０】
これにより導光板の出射面より出射される照明光は、入射面近傍において、この斜面３５Ａ及び３５Ｂの明暗に対応して出射光量が脈動することになる（図１５参照）。ところがこの実施の形態においては、明るく照らし出されて観察される斜面３５Ｂの方が、大きな面積により観察されることにより、この種の脈動を低減することができる（図１６参照）。なお、図１５及び図１６にあっては、本実施の形態が、上述したような利点を有していることを容易に理解できるように、入射面近傍における出射光量の差を強調して、出射光量が少なくなる領域をハッチングにより示す。
【００８１】
図１３に示す構成によれば、入射面を巨視的に平面と見なした場合の、入射面の法線ＬＨに対する斜面３５Ａ及び３５Ｂの角度β１及びβ２を異なる角度に設定したことにより、第１の実施の形態と同様の効果に加えて、入射面近傍の出射光量を均一化することができ、１対の斜面による突起を形成したことによる輝度ムラを低減することができる。
【００８２】
（１１）第１１の実施の形態
図１７は、第１１の実施の形態に係るサイドライト型面光源装置に適用される導光板の入射面側を拡大して示す斜視図である。このサイドライト型面光源装置においては、図１について上述した導光板１１に代えて、この導光板３７が適用される。
【００８３】
ここで導光板３７は、第１の実施の形態と同様に１対の斜面３７Ａ及び３７Ｂによる突起が導光板３７の入射面の長手方向に繰り返し形成される。さらに斜面３７Ａ及び３７Ｂは、導光板３７の側面３７Ｆに平行な面により切り取って断面を見たとき、入射面が凸レンズ形状になるように、曲面により形成される。
【００８４】
図１７に示す構成によれば、入射面が凸レンズ形状になるように、１対の斜面３７Ａ及び３７Ｂを曲面により形成して突起を形成するようにしても、第１の実施の形態と同様の効果を得ることができる。
【００８５】
（１２）第１２の実施の形態
図１８は、第１２の実施の形態に係るサイドライト型面光源装置に適用される導光板の入射面側を拡大して示す斜視図である。このサイドライト型面光源装置においては、図１について上述した導光板１１に代えて、この導光板３９が適用される。
【００８６】
ここで導光板３９は、第１の実施の形態と同様に１対の斜面３９Ａ及び３９Ｂにより延長する突起が導光板３９の入射面の長手方向に繰り返し形成される。さらに斜面３９Ａ及び３９Ｂは、導光板３９の側面３９Ｆに平行な面により切り取って断面を見たとき、入射面が凹レンズ形状になるように、曲面により形成される。
【００８７】
図１８に示す構成によれば、入射面が凹レンズ形状になるように、１対の斜面３９Ａ及び３９Ｂを曲面により形成して突起を形成するようにしても、第１の実施の形態と同様の効果を得ることができる。
【００８８】
（１３）第１３の実施の形態
図１９は、第１３の実施の形態に係るサイドライト型面光源装置に適用される導光板の入射面側を部分的に拡大して示す平面図である。このサイドライト型面光源装置においては、図１について上述した導光板１１に代えて、この導光板４１及びプリズム部材４２が適用される。
【００８９】
ここで導光板４１及びプリズム部材４２は、入射面近傍において、入射面に平行な平面により図１について上述した導光板１１を２つの部材に切り取って分離した形状により作成される。
【００９０】
図１９に示す構成によれば、別部品により、導光板４１の入射面に、１対の斜面による突起を形成するようにしても、第１の実施の形態と同様の効果を得ることができる。また別部品により構成したことにより、例えば蛍光ランプによる一次光源を構成するサイドライト型面光源装置との間で、導光板を共用化することができる。また必要に応じて導光板４１とプリズム部材４２との間に光散乱性を有する部材を介在させることもできる。
【００９１】
（１４）第１４の実施の形態
図２０は、第１４の実施の形態に係るサイドライト型面光源装置の一次光源側を部分的に拡大して示す平面図である。このサイドライト型面光源装置においては、図１について上述した一次光源１２に代えて、一次光源４４が適用される。
【００９２】
ここでこの一次光源４４は、図１について上述した棒状部材１６を順次積層し、各棒状部材にそれぞれ緑色、赤色及び青色の点光源１７Ｇ、１７Ｒ、１７Ｂを配置して形成される。ここで棒状部材１６は、出射面及び裏面が密接するように、積層して配置される。なお棒状部材１６は、必要に応じて、各出射面及び裏面が光学的接着剤により接着される。また点光源１７Ｇ、１７Ｒ、１７Ｂは、発光ダイオードにより構成され、それぞれ光学的接着剤により棒状部材１６の一端面に接着して配置される。これにより一次光源４４は、緑色、赤色及び青色の照明光を加算してなる略白色の照明光を導光板１１に出射する。
【００９３】
図２０に示す構成によれば、緑色、赤色及び青色の点光源１７Ｇ、１７Ｒ、１７Ｂをそれぞれ棒状部材１６に配置して略白色の照明光を導光板１１に出射する場合でも、導光板１１の入射面に１対の斜面による突起を繰り返し形成することにより、各色の照明光について第１の実施の形態と同様の効果を得ることができ、これにより色相の変化も防止することができる。
【００９４】
（１５）第１５の実施の形態
図２１は、第１５の実施の形態に係るサイドライト型面光源装置の一次光源側を部分的に拡大して示す平面図である。このサイドライト型面光源装置においては、図１について上述した一次光源１２に代えて、一次光源４６が適用される。
【００９５】
ここでこの一次光源４６は、図１について上述した棒状部材１６を順次積層し、各棒状部材に点光源１７を配置して形成される。ここで棒状部材１６は、点光源１７が対向するように積層して配置される。なお棒状部材１６は、必要に応じて、各出射面及び裏面が光学的接着剤により接着されて積層される。また点光源１７は、発光ダイオードにより構成され、それぞれ光学的接着剤により棒状部材１６の一端面に接着して配置される。これにより一次光源４６は、２つの点光源１７の照明光を加算して導光板１１に出射し、その分導光板１１より出射される照明光の光量を増大する。
【００９６】
図２１に示す構成によれば、２つの点光源１７をそれぞれ棒状部材１６に配置すると共に、これら２つの点光源１７が対向するように棒状部材を積層して配置する場合でも、導光板１１の入射面に１対の斜面による突起を繰り返し形成することにより、第１の実施の形態と同様の効果を得ることができる。
【００９７】
（１６）第１６の実施の形態
図２２は、第１６の実施の形態に係るサイドライト型面光源装置の一次光源側を部分的に拡大して示す平面図である。このサイドライト型面光源装置においては、図１について上述した一次光源１２に代えて、一次光源４８が適用される。
【００９８】
ここでこの一次光源４８は、長手方向の長さが図１について上述した棒状部材１６の１／３の長さでなる棒状部材４９に、それぞれ点光源１７を配置し、これら棒状部材４９を導光板１１の入射面に沿って順次配置して形成される。これにより一次光源４８は、３つの点光源１７の照明光を加算して導光板１１に出射し、その分導光板１１より出射される照明光の光量を増大する。
【００９９】
図２２に示す構成によれば、３つの点光源１７をそれぞれ棒状部材４９に配置すると共に、これら棒状部材４９を導光板１１の入射面に沿って配置して出射光量を増大する場合でも、導光板１１の入射面に１対の斜面による突起を繰り返し形成することにより、第１の実施の形態と同様の効果を得ることができる。
【０１００】
（１７）第１７の実施の形態
図２３は、第１７の実施の形態に係るサイドライト型面光源装置を示す平面図である。このサイドライト型面光源装置５０においては、導光板５２の出射面が略矩形形状に形成され、この出射面を囲む各側面がそれぞれ照明光の入射面に設定される。
【０１０１】
導光板５２は、これら各入射面に、１対の斜面による断面三角形形状の突起が繰り返し形成される。
【０１０２】
サイドライト型面光源装置５０は、これら各入射面にそれぞれ一次光源１２が配置され、これにより４つの点光源による照明光を導光板５２に入射し、導光板５２の出射光量を増大する。
【０１０３】
図２３に示す構成によれば、導光板５２の各側面を入射面に設定して導光板５２の出射光量を増大する場合でも、導光板５２の各入射面に１対の斜面による突起を繰り返し形成することにより、第１の実施の形態と同様の効果を得ることができる。
【０１０４】
（１８）第１８の実施の形態
図２４は、第１８の実施の形態に係るサイドライト型面光源装置を示す平面図である。このサイドライト型面光源装置６０においては、導光板１１の側面に沿って折れ曲がるように形成された棒状部材６１により一次光源６２を構成する。
【０１０５】
すなわち棒状部材６１は、端面に配置された点光源１７より入射した照明光を導光板１１の側面に沿って導くライトガイドの部分６１Ａと、このライトガイドの部分６１Ａを伝搬した照明光を導光板１１の入射面１１Ａに沿った方向の折り曲げる反射面６１Ｂと、この反射面６１Ｂで反射した照明光を伝搬して導光板１１の入射面１１Ａに出射する部分６１Ｃとにより構成される。なお棒状部材６１は、ライトガイドの部分６１Ａ、反射面６１Ｂ等においては、漏れ出す照明光が内部に戻されるように反射シートが配置されるようになされている。
【０１０６】
図２４に示す構成によれば、導光板１１の側面に沿って折れ曲がるように形成された棒状部材６１により一次光源６２を構成しても、第１の実施の形態と同様の効果を得ることができる。
【０１０７】
（１９）第１９の実施の形態
図２５は、第１９の実施の形態に係るサイドライト型面光源装置を示す平面図である。このサイドライト型面光源装置７０においては、光ファイバー７１によるライトガイドにより点光源１７の照明光を棒状部材１６に入射する。
【０１０８】
すなわち光ファイバー７１は、棒状部材１６の端面に一方の端面が配置され、他方の端面に点光源１７が配置される。
【０１０９】
図２５に示す構成によれば、光ファイバー７１によるライトガイドにより点光源１７の照明光を棒状部材１６に入射するようにしても、第１の実施の形態と同様の効果を得ることができる。なお、本実施の形態においては、点光源１７に代えて外来光を集光する外来光集光部材を用いて、該部材を光源とすることができる。
【０１１０】
（２０）他の実施の形態
なお上述の実施の形態においては、楔型形状、三角錐形状等の棒状部材により一次光源を構成する場合について述べたが、本発明はこれに限らず、例えば四角錐形状、円柱形状等、種々の形状の棒状部材により一次光源を構成する場合に広く適用することができる。
【０１１１】
また上述の実施の形態においては、出射面及び裏面を何ら処理していない透明部材による棒状部材により一次光源を構成する場合について述べたが、本発明はこれに限らず、第７の実施の形態と同様に、裏面に光散乱面を形成する場合にも広く適用することができる。
【０１１２】
さらに上述の実施の形態においては、透明部材による棒状部材により一次光源を構成する場合について述べたが、本発明はこれに限らず、棒状部材の構成は、本発明の効果が得られる範囲で任意に選択することができる。
【０１１３】
さらに上述の実施の形態においては、１対の斜面を直接接続して断面三角形形状の突起を繰り返し作成する場合について述べたが、本発明はこれに限らず、例えば曲面により１対の斜面を接続して断面波形形状の突起を繰り返し作成してもよく、さらには斜面自体を曲面により作成してもよい。
【０１１４】
また上述の実施の形態においては、何ら表面を処理することなく、導光板の入射面に１対の斜面による突起を繰り返し作成する場合について述べたが、本発明はこれに限らず、この斜面を例えば粗面により形成して、この斜面を光拡散面としてもよい。このようにすればこの種の突起を繰り返し形成したことによる輝度ムラを低減することができる。
【０１１５】
また上述の実施の形態においては、１対の斜面による突起を一定形状により繰り返し作成する場合について述べたが、本発明はこれに限らず、一次光源から出射する照明光の指向性等に応じて一次光源の点光源より遠ざかるに従って斜面の傾きを徐々に変化させてもよく、また点光源より遠ざかるに従って突起の大きさ、ピッチ、形状、単位長さ当たりの突起数等を徐々に変化させてもよい。このようにすれば種々に出射光量の分布を調整することができる。
【０１１６】
また上述の実施の形態においては、導光板の表面に光散乱面を形成する場合について述べたが、本発明はこれに限らず、出射面に光散乱面を形成する場合、また出射面及び裏面に形成する場合、さらには出射面及び表面の双方を何ら処理しない場合にも広く適用することができる。
【０１１７】
また上述の実施の形態においては、出射面及び裏面を平坦な面に設定して導光板を構成する場合について述べたが、本発明はこれに限らず、プリズムシートのプリズム面形状を出射面及び又は裏面に形成する場合にも広く適用することができる。
【０１１８】
なお上述の実施の形態においては、透明部材により導光板を構成する場合について述べたが、本発明はこれに限らず、導光板の構成は、本発明の効果が得られる範囲で任意に選択することができる。
【０１１９】
また上述の実施の形態においては、導光板の出射面に光拡散シート及びプリズムシートを配置する場合について述べたが、本発明はこれに限らず、光拡散シート又はプリズムシートを省略する場合、さらには第１の実施の形態について上述したプリズムシート１４に加えて、このプリズムシート１４のプリズム面と突起の繰り返し方向が直交してなる第２のプリズムシートを配置する場合、所定の偏光面の出射光についてのみ選択透過し、これと直交する偏光面の出射光については選択的に反射するいわゆる偏光分離シートを配置する場合、さらには透過光の波長を変化させる波長変換シートを配置する場合等に広く適用することができる。
【０１２０】
さらに上述の実施の形態においては、導光板の１つの側面に一次光源を配置する場合、又は導光板の４つの側面に一次光源を配置する場合について述べたが、本発明はこれに限らず、導光板の２つの側面又は３つの側面に一次光源を配置する場合にも広く適用することができる。
【０１２１】
また上述の実施の形態においては、点光源でなる発光ダイオードを棒状部材に配置する場合について述べたが、本発明はこれに限らず、発光ダイオードのパッケージ形状を棒状部材の形状に作成して棒状部材と点光源を一体化する場合にも広く適用することができる。
【０１２２】
さらに上述の実施の形態においては、１の棒状部材に１の点光源を配置する場合について述べたが、本発明はこれに限らず、１の棒状部材に複数の発光ダイオードを配置することにより、又は１の棒状部材に複数の発光ダイオードチップを封止した１の発光ダイオードを配置することにより、１の棒状部材に複数の点光源を配置する場合にも広く適用することができる。
【０１２３】
また上述の実施の形態においては、１の反射シートを折り曲げて使用する場合について述べたが、本発明はこれに限らず、一次光源側と導光板側とで反射シートを分離する場合等にも広く適用することができる。
【０１２４】
さらに上述の実施の形態においては、白色の乱反射部材により反射シートを構成する場合について述べたが、本発明はこれに限らず、例えば銀を蒸着したシート材等の正反射部材を使用する場合にも広く適用することができる。
【０１２５】
さらに上述の実施の形態では、断面楔型形状の板状部材でなる導光板を用いたサイドライト型面光源装置に本発明を適用する場合について述べたが、本発明はこれに限らず、導光板としてほぼ均一な板厚による平板形状のものを用いた方式のサイドライト型面光源装置にも広く適用することができる。
【０１２６】
さらに上述の実施の形態では、液晶表示装置の面光源装置に本発明を適用する場合について述べたが、本発明はこれに限らず、種々の照明機器、表示装置等のサイドライト型面光源装置に広く適用することができる。
【０１２７】
【発明の効果】
上述のように本発明によれば、板状部材の入射面に、１対の斜面による突起を板状部材の入射面の長手方向に繰り返し形成することにより、出射光量を均一化することができる。
【図面の簡単な説明】
【図１】本発明の第１の実施の形態に係るサイドライト型面光源装置を示す分解斜視図である。
【図２】図１のサイドライト型面光源装置の入射面側を部分的に拡大して示す平面図である。
【図３】図２をＢ−Ｂ線により切り取って示す断面図である。
【図４】図１の反射シートを示す展開図である。
【図５】第２の実施の形態に係るサイドライト型面光源装置に適用される一次光源を示す斜視図である。
【図６】第３の実施の形態に係るサイドライト型面光源装置に適用される一次光源を示す斜視図である。
【図７】第４の実施の形態に係るサイドライト型面光源装置に適用される一次光源を示す斜視図である。
【図８】第５の実施の形態に係るサイドライト型面光源装置に適用される一次光源を示す斜視図である。
【図９】第６の実施の形態に係るサイドライト型面光源装置に適用される一次光源を示す斜視図である。
【図１０】第７の実施の形態に係るサイドライト型面光源装置に適用される一次光源を示す斜視図である。
【図１１】第８の実施の形態に係るサイドライト型面光源装置に適用される一次光源を示す斜視図である。
【図１２】第９の実施の形態に係るサイドライト型面光源装置に適用される一次光源を示す斜視図である。
【図１３】第１０の実施の形態に係るサイドライト型面光源装置に適用される導光板を示す斜視図である。
【図１４】図１３の導光板の動作の説明に供する斜視図である。
【図１５】１対の斜面を等しい傾きに設定した場合の入射面近傍を示す平面図である。
【図１６】図１５のと対比により図１３の導光板の入射面近傍を示す平面図である。
【図１７】第１１の実施の形態に係るサイドライト型面光源装置に適用される導光板を示す斜視図である。
【図１８】第１２の実施の形態に係るサイドライト型面光源装置に適用される導光板を示す斜視図である。
【図１９】第１３の実施の形態に係るサイドライト型面光源装置に適用される導光板及びプリズム部材を示す平面図である。
【図２０】第１４の実施の形態に係るサイドライト型面光源装置を示す平面図である。
【図２１】第１５の実施の形態に係るサイドライト型面光源装置を示す平面図である。
【図２２】第１６の実施の形態に係るサイドライト型面光源装置を示す平面図である。
【図２３】第１７の実施の形態に係るサイドライト型面光源装置を示す平面図である。
【図２４】第１８の実施の形態に係るサイドライト型面光源装置を示す平面図である。
【図２５】第１９の実施の形態に係るサイドライト型面光源装置を示す平面図である。
【図２６】従来のサイドライト型面光源装置を示す斜視図である。
【符号の説明】
１、１０、５０、６０、７０……サイドライト型面光源装置、２、１２、２２、２４、２６、２８、３０、３２、４４、４６、４８、６１……一次光源、３、１１、３５、３７、３９、４１、５２……導光板、４、１６、２３、２５、２７、２９、３１、３３、４９、６１……棒状部材、１３……光反射シート、１４……プリズムシート、１５……反射シート、１７、１７Ｇ、１７Ｒ、１７Ｂ……点光源、１８Ａ、１８Ｂ、３５Ａ、３５Ｂ、３７Ａ、３７Ｂ、３９Ａ、３９Ｂ……斜面、４２……プリズム部材
【図１】
0003549087.tif 000002
【図２】
0003549087.tif 000003
【図３】
0003549087.tif 000004
【図４】
0003549087.tif 000005
【図５】
0003549087.tif 000006
【図６】
0003549087.tif 000007
【図７】
0003549087.tif 000008
【図８】
0003549087.tif 000009
【図９】
0003549087.tif 000010
【図１０】
0003549087.tif 000011
【図１１】
0003549087.tif 000012
【図１２】
0003549087.tif 000013
【図１３】
0003549087.tif 000014
【図１４】
0003549087.tif 000015
【図１５】
0003549087.tif 000016
【図１６】
0003549087.tif 000017
【図１７】
0003549087.tif 000018
【図１８】
0003549087.tif 000019
【図１９】
0003549087.tif 000020
【図２０】
0003549087.tif 000021
【図２１】
0003549087.tif 000022
【図２２】
0003549087.tif 000023
【図２３】
0003549087.tif 000024
【図２４】
0003549087.tif 000025
【図２５】
0003549087.tif 000026
【図２６】
0003549087.tif 000027